(57)【要約】【課題】  投写型映像表示装置と投写面との距離の短縮を図った投写型映像表示装置を用いて、投写映像とユーザとを組み合わせた新たな活用方法を実現する投写型映像表示装置を提供する。【解決手段】  投写型映像表示装置１００は、映像光生成部２００と投写光学系３００とを収容する筐体４００を有する。投写光学系３００は、反射ミラー３２０を有する。映像光生成部２００は、ユーザ情報を少なくとも含む基本情報に基づいて、投写面２１０上に表示される映像を制御する映像制御部２５４を有する。【選択図】  図３
2009273552.tif 000002
【特許請求の範囲】
【請求項１】
映像光を生成する映像光生成部と、前記映像光を投写する投写光学系とを備えた投写型映像表示装置であって、
前記投写光学系は、前記映像光生成部から出射された前記映像光を反射する反射ミラーを有しており、
前記映像光生成部は、
前記投写面上に位置するユーザの特徴を示すユーザ情報を少なくとも含む基本情報を取得する基本情報取得部と、
前記基本情報に基づいて、前記投写面上に表示される映像を制御する映像制御部とを有することを特徴とする投写型映像表示装置。
【請求項２】
前記映像光生成部及び前記投写光学系を収容し、所定設置面上に設置される筐体と、
前記所定設置面内において前記筐体を移動させる移動ユニットとをさらに備え、
前記移動ユニットは、前記筐体の移動によって、前記投写面上に表示される映像の位置を調整することを特徴とする請求項１に記載の投写型映像表示装置。
【請求項３】
前記映像光生成部は、
前記投写面を撮像する撮像装置から撮像データを取得する第１取得部と、
前記撮像データとは別に、見本データを取得する第２取得部とを有しており、
前記映像制御部は、前記投写面上において、前記撮像データによって構成される撮像映像を前記見本データによって構成される見本映像に重畳させることを特徴とする請求項１に記載の投写型映像表示装置。
【請求項４】
前記投写面上に表示される映像は、ゴルフにおけるユーザの足の基準位置、前記足の基準位置に対するゴルフボールの基準位置、又は、ゴルフスイングの基準軌道を含むことを特徴とする請求項１に記載の投写型映像表示装置。
【請求項５】
前記基本情報は、前記ユーザ情報に加えて、練習スイングの種別を含み、
前記映像制御部は、前記基本情報に基づいて、前記足の基準位置、前記ゴルフボールの基準位置、又は、前記ゴルフスイングの基準軌道を変更することを特徴とする請求項４に記載の投写型映像表示装置。
【請求項６】
前記見本映像は、ゴルフスイングの基準軌道を含み、
前記撮像映像は、前記投写面上に位置するユーザのゴルフスイングの軌道を含み、
前記映像制御部は、前記ユーザのゴルフスイングの軌道を前記ゴルフスイングの基準軌道に重畳させることを特徴とする請求項３に記載の投写型映像表示装置。
【請求項７】
前記反射ミラーで反射された前記映像光の光路上に設けられた防護カバーを備え、
前記防護カバーは、前記映像光を透過する透過領域を有しており、
前記反射ミラーは、前記反射ミラーと前記投写面との間において、前記映像光生成部から出射された前記映像光を集光し、
前記透過領域は、前記反射ミラーによって前記映像光が集光される位置近傍に配置されることを特徴とする請求項１に記載の投写型映像表示装置。
【請求項８】
前記防護カバーは、前記反射ミラー側から前記投写面側に連通する開口を有しており、
前記透過領域は、前記開口であることを特徴とする請求項７に記載の投写型映像表示装置。
【請求項９】
前記防護カバーの少なくとも一部は、光透過性部材によって構成されており、
前記透過領域は、前記光透過性部材によって構成されることを特徴とする請求項７に記載の投写型映像表示装置。
【発明の詳細な説明】
【技術分野】
【０００１】
本発明は、映像光を投写する投写光学系を有する投写型映像表示装置に関する。
【背景技術】
【０００２】
従来、光源が発する光を変調する光変調素子と、光変調素子から出射される光を投写面（スクリーン）上に投写する投写レンズとを有する投写型映像表示装置が知られている。
【０００３】
ここで、スクリーン上に映像を大きく表示するためには、投写レンズとスクリーンとの距離を長くとる必要がある。これに対して、投写レンズから出射される光をスクリーン側に反射する反射ミラーを利用して、投写型映像表示装置とスクリーンとの距離の短縮を図った投写型表示システムが提案されている（例えば、特許文献１）。
【０００４】
ここで、投写型映像表示装置とスクリーンとの距離の短縮を図ると、投写型映像表示装置がスクリーンに近くなり、投写型映像表示装置がユーザの視野に入ることになるため、スクリーンの上下又は横から斜め投写を行う必要がある。例えば、上述した投写型表示システムでは、光変調素子と投写光学系との位置関係を上下方向にシフトするとともに、反射ミラーとして凹面ミラーを用いることにより、投写距離の短縮と斜め投写を行っている。
【特許文献１】特開２００６−２３５５１６号公報（請求項１、図１など）
【発明の開示】
【発明が解決しようとする課題】
【０００５】
ところで、投写距離の短縮を図った投写型映像表示装置の設置方法及び投写方法としては、投写型映像表示装置を床面や机上に設置して、その床面や机上に投写する方法など、新たな設置／投写方法が考えられる。一方で、新たな設置／投写方法をどのような場面で活用できるかについては、あまり考慮されていない。
【０００６】
そこで、本発明は、上述した課題を解決するためになされたものであり、投写型映像表示装置と投写面との距離の短縮を図った投写型映像表示装置を用いて、投写映像とユーザとを組み合わせた新たな活用方法を実現する投写型映像表示装置を提供することを目的とする。
【課題を解決するための手段】
【０００７】
第１の特徴に係る投写型映像表示装置は、映像光を生成する映像光生成部（映像光生成部２００）と前記映像光を投写する投写光学系（投写光学系３００）とを備えている。前記投写光学系は、前記映像光生成部から出射された前記映像光を反射する反射ミラー（反射ミラー３２０）を有する。前記映像光生成部は、前記投写面上に位置するユーザの特徴を示すユーザ情報を少なくとも含む基本情報を取得する基本情報取得部（基本情報取得部２５１）と、前記基本情報に基づいて、前記投写面上に表示される映像を制御する映像制御部（映像制御部２５４）とを有する。
【０００８】
第１の特徴によれば、映像制御部は、ユーザ情報を少なくとも含む基本情報に基づいて、投写面上に表示される映像を制御する。従って、ユーザに適した映像を表示することができる。また、投写型映像表示装置は、所定設置面上に設置され、所定設置面に略平行な投写面（投写面２１０）上に映像光を投写してもよい。
【０００９】
第１の特徴において、投写型映像表示装置は、前記映像光生成部及び前記投写光学系を収容し、所定設置面上に設置される筐体（筐体４００）と、前記所定設置面内において前記筐体を移動させる移動ユニット（移動ユニット６００）とをさらに備える。前記移動ユニットは、前記筐体の移動によって、前記投写面上に表示される映像の位置を調整する。
【００１０】
第１の特徴において、前記映像光生成部は、前記投写面を撮像する撮像装置（撮像装置５００）から撮像データを取得する第１取得部（第１取得部２５２）と、前記撮像データとは別に、見本データを取得する第２取得部（第２取得部２５３）とを有する。前記映像制御部は、前記投写面上において、前記撮像データによって構成される撮像映像を前記見本データによって構成される見本映像に重畳させる。なお、所定設置面に略平行な投写面（投写面２１０）上に投写型映像表示装置が映像光を投写するケースでは、撮像装置は、投写面の上方から投写面を撮像することが好ましい。
【００１１】
第１の特徴において、前記投写面上に表示される映像は、ゴルフにおけるユーザの足の基準位置、前記足の基準位置に対するゴルフボールの基準位置、又は、ゴルフスイングの基準軌道を含む。
【００１２】
第１の特徴において、前記基本情報は、前記ユーザ情報に加えて、練習スイングの種別を含む。前記映像制御部は、前記基本情報に基づいて、前記足の基準位置、前記ゴルフボールの基準位置、又は、前記ゴルフスイングの基準軌道を変更する。
【００１３】
第１の特徴において、前記見本映像は、ゴルフスイングの基準軌道を含む。前記撮像映像は、前記投写面上に位置するユーザのゴルフスイングの軌道を含む。前記映像制御部は、前記ユーザのゴルフスイングの軌道を前記ゴルフスイングの基準軌道に重畳させる。
【００１４】
第１の特徴において、投写型映像表示装置は、前記反射ミラーで反射された前記映像光の光路上に設けられた防護カバー（防護カバー４００ａ）を備える。前記防護カバーは、前記映像光を透過する透過領域（透過領域４１０）を有する。前記反射ミラーは、前記反射ミラーと前記投写面との間において、前記映像光生成部から出射された前記映像光を集光する。前記透過領域は、前記反射ミラーによって前記映像光が集光される位置近傍に配置される。
【００１５】
上述した特徴において、前記防護カバーは、前記反射ミラー側から前記投写面側に連通する開口を有する。前記透過領域は、前記開口である。
【００１６】
上述した特徴において、前記防護カバーの少なくとも一部は、光透過性部材によって構成される。前記透過領域は、前記光透過性部材によって構成される。
【発明の効果】
【００１７】
本発明によれば、投写型映像表示装置と投写面との距離の短縮を図った投写型映像表示装置を用いて、投写映像とユーザとを組み合わせた新たな活用方法を実現する投写型映像表示装置を提供することができる。
【発明を実施するための最良の形態】
【００１８】
以下において、本発明の実施形態に係る投写型映像表示装置について、図面を参照しながら説明する。なお、以下の図面の記載において、同一又は類似の部分には、同一又は類似の符号を付している。
【００１９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２０】
［第１実施形態］
（投写型映像表示装置の構成）
以下において、第１実施形態に係る投写型映像表示装置の構成について、図面を参照しながら説明する。図１は、第１実施形態に係る投写型映像表示装置１００の構成を示す図である。
【００２１】
図１に示すように、投写型映像表示装置１００は、映像光生成部２００と投写光学系３００とを収容する筐体４００を有する。第１実施形態では、筐体４００の一部は、防護カバー４００ａを構成する。投写型映像表示装置１００は、設置面２２０上に設置される。
【００２２】
映像光生成部２００は、映像光を生成する。具体的には、映像光生成部２００は、映像光を出射する表示素子４０を少なくとも有する。表示素子４０は、投写光学系３００の光軸Ｌに対してシフトした位置に設けられている。表示素子４０は、例えば、反射型液晶パネル、透過型液晶パネル、ＤＭＤ（Ｄｉｇｉｔａｌ  Ｍｉｃｒｏｍｉｒｒｏｒ  Ｄｅｖｉｃｅ）などである。映像光生成部２００の詳細については後述する（図２を参照）。
【００２３】
投写光学系３００は、映像光生成部２００から出射された映像光を投写する。ここで、投写光学系３００は、投写面２１０上に映像光を投写する。具体的には、投写光学系３００は、投写レンズ３１０と、反射ミラー３２０とを有する。
【００２４】
投写レンズ３１０は、映像光生成部２００から出射された映像光を反射ミラー３２０側に出射する。
【００２５】
反射ミラー３２０は、投写レンズ３１０から出射された映像光を反射する。反射ミラー３２０は、映像光を集光した上で、映像光を広角化する。例えば、反射ミラー３２０は、映像光生成部２００側に凹面を有する非球面ミラーである。
【００２６】
防護カバー４００ａは、反射ミラー３２０を保護するカバーである。防護カバー４００ａは、少なくとも、反射ミラー３２０で反射された映像光の光路上に設けられている。防護カバー４００ａは、映像光を透過する透過領域４１０を有する。
【００２７】
このように、投写光学系３００は、透過領域４１０を透過した映像光を投写面２１０上に投写する。
【００２８】
ここで、投写面２１０は、設置面２２０と略平行な面である。第１実施形態では、投写面２１０上にユーザＸが位置するケースを想定している。ユーザＸは、例えば、投写面２１０上に表示された映像を利用してゴルフスイングの練習を行う。
【００２９】
なお、第１実施形態では、投写面２１０の上方から投写面２１０を撮像する撮像装置５００が設けられている。撮像装置５００は、投写面２１０の直上に設けられていることが好ましい。撮像装置５００は、例えば、天井などに取付けられる。
【００３０】
（映像光生成部の構成）
以下において、第１実施形態に係る映像光生成部の構成について、図面を参照しながら説明する。図２は、第１実施形態に係る映像光生成部２００を主として示す図である。映像光生成部２００は、図２に示した構成に加えて、電源回路（不図示）、映像信号処理回路（不図示）などを有する。ここでは、表示素子４０が透過型液晶パネルであるケースについて例示する。
【００３１】
映像光生成部２００は、光源１０と、フライアイレンズユニット２０と、ＰＢＳアレイ３０と、複数の液晶パネル４０（液晶パネル４０Ｒ、液晶パネル４０Ｇ、液晶パネル４０Ｂ）と、クロスダイクロイックプリズム５０とを有する。
【００３２】
光源１０は、バーナ及びリフレクタによって構成されるＵＨＰランプなどである。光源１０が発する光は、赤成分光、緑成分光及び青成分光を含む。
【００３３】
フライアイレンズユニット２０は、光源１０が発する光を均一化する。具体的には、フライアイレンズユニット２０は、フライアイレンズ２０ａ及びフライアイレンズ２０ｂによって構成される。
【００３４】
フライアイレンズ２０ａ及びフライアイレンズ２０ｂは、それぞれ、複数の微少レンズによって構成される。各微少レンズは、光源１０が発する光が液晶パネル４０の全面に照射されるように、光源１０が発する光を集光する。
【００３５】
ＰＢＳアレイ３０は、フライアイレンズユニット２０から出射された光の偏光状態を揃える。第１実施形態では、ＰＢＳアレイ３０は、フライアイレンズユニット２０から出射された光をＰ偏光に揃える。
【００３６】
液晶パネル４０Ｒは、赤成分光の偏光方向を回転させることによって赤成分光を変調する。液晶パネル４０Ｒの光入射面側には、一の偏光方向（例えば、Ｐ偏光）を有する光を透過して、他の偏光方向（例えば、Ｓ偏光）を有する光を遮光する入射側偏光板４１Ｒが設けられている。液晶パネル４０Ｒの光出射面側には、一の偏光方向（例えば、Ｐ偏光）を有する光を遮光して、他の偏光方向（例えば、Ｓ偏光）を有する光を透過する出射側偏光板４２Ｒが設けられている。
【００３７】
同様に、液晶パネル４０Ｇ及び液晶パネル４０Ｂは、それぞれ、緑成分光及び青成分光の偏光方向を回転させることによって緑成分光及び青成分光を変調する。液晶パネル４０Ｇの光入射面側には、入射側偏光板４１Ｇが設けられており、液晶パネル４０Ｇの光出射面側には、出射側偏光板４２Ｇが設けられている。液晶パネル４０Ｂの光入射面側には、入射側偏光板４１Ｂが設けられており、液晶パネル４０Ｂの光出射面側には、出射側偏光板４２Ｂが設けられている。
【００３８】
クロスダイクロイックプリズム５０は、液晶パネル４０Ｒ、液晶パネル４０Ｇ及び液晶パネル４０Ｂから出射された光を合成する。クロスダイクロイックプリズム５０は、投写レンズ３１０側に合成光を出射する。
【００３９】
また、映像光生成部２００は、ミラー群（ダイクロイックミラー１１１、ダイクロイックミラー１１２、反射ミラー１２１〜反射ミラー１２３）と、レンズ群（コンデンサレンズ１３１、コンデンサレンズ１４０Ｒ、コンデンサレンズ１４０Ｇ、コンデンサレンズ１４０Ｂ、リレーレンズ１５１〜リレーレンズ１５２）とを有する。
【００４０】
ダイクロイックミラー１１１は、ＰＢＳアレイ３０から出射された光のうち、赤成分光及び緑成分光を透過する。ダイクロイックミラー１１１は、ＰＢＳアレイ３０から出射された光のうち、青成分光を反射する。
【００４１】
ダイクロイックミラー１１２は、ダイクロイックミラー１１１を透過した光のうち、赤成分光を透過する。ダイクロイックミラー１１２は、ダイクロイックミラー１１１を透過した光のうち、緑成分光を反射する。
【００４２】
反射ミラー１２１は、青成分光を反射して青成分光を液晶パネル４０Ｂ側に導く。反射ミラー１２２及び反射ミラー１２３は、赤成分光を反射して赤成分光を液晶パネル４０Ｒ側に導く。
【００４３】
コンデンサレンズ１３１は、光源１０が発する白色光を集光するレンズである。
【００４４】
コンデンサレンズ１４０Ｒは、液晶パネル４０Ｒに赤成分光が照射されるように、赤成分光を略平行光化する。コンデンサレンズ１４０Ｇは、液晶パネル４０Ｇに緑成分光が照射されるように、緑成分光を略平行光化する。コンデンサレンズ１４０Ｂは、液晶パネル４０Ｂに青成分光が照射されるように、青成分光を略平行光化する。
【００４５】
リレーレンズ１５１〜リレーレンズ１５２は、赤成分光の拡大を抑制しながら、液晶パネル４０Ｒ上に赤成分光を略結像する。
【００４６】
（投写型映像表示装置の機能）
以下において、第１実施形態に係る投写型映像表示装置の機能について、図面を参照しながら説明する。図３は、第１実施形態に係る投写型映像表示装置１００に設けられた制御ユニット２５０を示すブロック図である。制御ユニット２５０は、映像光生成部２００に設けられる。
【００４７】
図３に示すように、制御ユニット２５０は、基本情報取得部２５１と、第１取得部２５２と、第２取得部２５３と、映像制御部２５４とを有する。
【００４８】
基本情報取得部２５１は、キーボードなどの入力ＩＦ（不図示）から基本情報を取得する。基本情報は、例えば、ユーザＸの特徴を示すユーザ情報を含む。また、基本情報は、ユーザ情報に加えて、練習スイングの種別（以下、スイング種別）を含んでもよい。第１実施形態では、基本情報は、ユーザ情報及びスイング種別を含む。
【００４９】
ユーザ情報は、例えば、ユーザＸの性別、ユーザＸの身長などである。練習スイングの種別は、ユーザＸがスイングの練習を行うゴルフクラブの種別、練習スイングの距離などである。
【００５０】
第１取得部２５２は、撮像装置５００から撮像データを取得する。撮像データは、撮像装置５００によって撮像された撮像映像を表示するための映像データである。撮像映像は、ユーザＸのゴルフスイングの軌道を含む。
【００５１】
第２取得部２５３は、ＤＶＤ再生装置などの外部機器から見本データを取得する。見本データは、見本映像を表示するための映像データである。見本映像は、ゴルフにおけるユーザの足の基準位置（以下、基準スタンス）、基準スタンスに対するゴルフボールの基準位置（以下、基準ボール位置）、又は、ゴルフスイングの基準軌道を含む。第１実施形態では、見本映像は、基準スタンス、基準ボール位置、ゴルフスイングの基準軌道を含む。
【００５２】
なお、第２取得部２５３は、外部機器ではなくて、ハードディスク装置から見本データを取得してもよい。また、第１取得部２５２は、ＬＡＮなどのネットワークから見本データを取得してもよい。
【００５３】
映像制御部２５４は、投写面２１０上に表示される映像を制御する。すなわち、映像制御部２５４は、表示素子４０（液晶パネル４０Ｒ〜液晶パネル４０Ｂ）を制御する。
【００５４】
具体的には、映像制御部２５４は、基本情報取得部２５１によって取得された基本情報に基づいて、第２取得部２５３によって取得された見本データを変更する。
【００５５】
例えば、映像制御部２５４は、図４に示すように、基本情報（すなわち、スイング種別及びユーザ情報）によって見本データを定義するテーブルを有する。映像制御部２５４は、図４に示すテーブルを参照して、基本情報に対応する見本データを選択する。例えば、身長１７５ｃｍの男性がロングアイアンのスイングを練習する場合には、映像制御部２５４は、見本データ１１を選択する。
【００５６】
続いて、映像制御部２５４は、基本情報に対応する見本データに基づいて、表示素子４０を制御する。これによって、見本データによって構成される見本映像が投写面２１０上に表示される。
【００５７】
ここで、映像制御部２５４は、投写面２１０上において、撮像データによって構成される撮像映像を見本データによって構成される見本映像に重畳させる。具体的には、映像制御部２５４は、ユーザＸのゴルフスイングの軌道（撮像データ）をゴルフスイングの基準軌道（見本データ）に重畳させる。
【００５８】
（映像の表示例）
以下において、第１実施形態に係る映像の表示例について、図面を参照しながら説明する。図５及び図６は、第１実施形態に係る映像の表示例を示す図である。
【００５９】
最初に、投写面２１０上に表示される見本映像について、図５を参照しながら説明する。図５に示すように、見本映像は、基準スタンス、基準ボール位置及び基準軌道を含む。また、基本映像は、基準スタンスに対する基準ボール位置を明確にするためのガイドラインを含んでもよい。
【００６０】
次に、投写面２１０上に表示される見本映像及び撮像映像について、図６を参照しながら説明する。図６に示すように、ユーザＸのゴルフスイングの軌道（撮像データ）がゴルフスイングの基準軌道（見本データ）に重畳される。図６では、ユーザＸのゴルフスイングは、アウト−インのスイングである。これによって、ユーザＸは、スライスの要因などを容易に把握することができる。
【００６１】
（作用及び効果）
第１実施形態では、防護カバー４００ａは、反射ミラー３２０で反射された映像光の光路上に設けられている。従って、ユーザが反射ミラー３２０に接触して反射ミラー３２０の角度などが変わることを抑制することができる。また、防護カバー４００ａは、反射ミラー３２０で反射された映像光を透過する透過領域４１０を有する。従って、投写面２１０上に照射される映像光が防護カバー４００ａによって妨げられることがない。このように、投写型映像表示装置１００と投写面との距離の短縮を図るために設けられた反射ミラー３２０の配置精度を良好に保つことができる。
【００６２】
映像制御部２５４は、ユーザ情報を少なくとも含む基本情報に基づいて、投写面上に表示される映像を制御する。従って、ユーザに適した映像を表示することができる。特に、ゴルフスイングの練習への適用が効果的である。
【００６３】
映像制御部２５４は、撮像データによって構成される撮像映像を見本データによって構成される見本映像に重畳させる。従って、ユーザＸの動作が見本から乖離しているか否かについて、ユーザＸが容易に把握することが可能である。ゴルフスイングの練習への適用が効果的である。
【００６４】
［第２実施形態］
以下において、第２実施形態について、図面を参照しながら説明する。以下においては、第１実施形態と第２実施形態との相違点について主として説明する。
【００６５】
具体的には、第２実施形態では、投写型映像表示装置１００は、図７に示すように、設置面２２０内において、筐体４００を移動させる移動ユニット６００を有する。
【００６６】
移動ユニット６００は、設置面２２０上に設けられており、筐体４００を下方から支持する。例えば、移動ユニット６００の上面に筐体４００を移動させるガイドレールが設けられている。また、移動ユニット６００の下面に車輪が設けられていてもよい。
【００６７】
移動ユニット６００は、筐体４００の移動によって、投写面２１０上に表示される映像の位置を調整する。
【００６８】
（作用及び効果）
第２実施形態では、ゴルフボールの位置が固定されているケースを想定している。このようなケースとしては、ティーアップしてゴルフボールを打つケース、ゴルフボールが自動的にセットされるケースなどが考えられる。
【００６９】
ところで、ゴルフボールの位置とユーザの足の位置（スタンス）との関係はユーザ毎に異なることが一般的である。第２実施形態では、基準ボール位置と基準スタンスとの位置関係の微調整を行うケースを想定している。
【００７０】
移動ユニット６００が設けられていない場合には、位置関係の微調整を行うためには、基準スタンスから外れた位置にユーザが立たなければならない。
【００７１】
これに対して、第２実施形態では、移動ユニット６００は、筐体４００の移動によって、投写面２１０上に表示される映像の位置を調整する。従って、基準スタンス上にユーザが立ったままで、位置関係の微調整を行うことができる。なお、ゴルフボールの位置は、基準ボール位置から外れてしまうが、ゴルフボールが目印になるため、特に不都合が生じないことに留意すべきである。
【００７２】
［第３実施形態］
以下において、第３実施形態について、図面を参照しながら説明する。以下においては、第１実施形態と第３実施形態との相違点について主として説明する。
【００７３】
第１実施形態では、基本情報取得部２５１は、ユーザ情報（例えば、身長など）を含む基本情報をキーボードなどの入力ＩＦ（不図示）から取得する。これに対して、第３実施形態では、基本情報取得部２５１は、撮像データによってユーザ情報（例えば、身長など）を取得する。
【００７４】
具体的には、第３実施形態では、投写型映像表示装置１００は、図８に示すように、ユーザＸを撮像する撮像装置７１０を有する。ユーザＸを挟んで撮像装置７１０と対向する位置に背景面７２０が設けられる。
【００７５】
図９に示すように、背景面７２０は、格子状の補助線７２１を有する。ここでは、補助線７２１の間隔が予め基本情報取得部２５１に設定されているものとする。
【００７６】
撮像装置７１０は、図９に示すように、補助線７２１を有する背景面７２０及びユーザＸを撮像する。撮像装置７１０は、両手及び両足を開いた状態のユーザＸを撮像する。
【００７７】
基本情報取得部２５１は、撮像データに基づいて、頭頂部、両手先、両足先、股部などの特徴点を特定する。基本情報取得部２５１は、特徴点と補助線７２１との位置関係によって、ユーザＸの手の長さ、ユーザＸの足の長さ、ユーザＸの身長などを取得する。すなわち、基本情報取得部２５１は、ユーザＸの身長などを含むユーザ情報を撮像データによって取得する。
【００７８】
なお、特徴点は、頭頂部、両手先及び両足先などに限定されるものではない。特徴点は、肘や膝などの関節、胸部、腹部や腰部などのユーザＸの外形を特定する部位を含んでもよい。
【００７９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８０】
上述した実施形態では特に触れていないが、防護カバー４００ａは、反射ミラー３２０から投写面２１０側に連通する開口を有していてもよい。透過領域４１０は、このような開口であってもよい。
【００８１】
上述した実施形態では特に触れていないが、防護カバー４００ａの少なくとも一部は、透明樹脂やガラスなどの光透過性部材によって構成されていてもよい。透過領域４１０は、このような光透過性部材によって構成されていてもよい。
【００８２】
上述した実施形態では特に触れていないが、反射ミラー３２０は、反射ミラー３２０と投写面２１０との間において、映像光生成部２００から出射された映像光を集光する。透過領域４１０は、反射ミラー３２０によって映像光が集光される位置近傍に設けられることが好ましい。
【００８３】
上述した実施形態では、反射ミラー３２０として非球面ミラーを用いるケースについて例示したが、反射ミラー３２０はこれに限定されるものではない。例えば、反射ミラー３２０として自由曲面ミラーを用いてもよい。収差や解像度について工夫をすれば、反射ミラー３２０として球面ミラーを用いてもよい。
【００８４】
上述した実施形態では、映像光生成部２００の構成として複数の表示素子４０を用いるケース（３板式）について例示したが、映像光生成部２００の構成はこれに限定される物ではない。映像光生成部２００の構成として単数の表示素子４０を用いてもよい（単板式）。
【００８５】
上述した実施形態では、撮像装置５００が投写面２１０の直上に設けられているが、撮像装置５００の配置は、これに限定されるものではない。具体的には、撮像装置５００は、投写型映像表示装置１００に設けられていてもよい。このようなケースでは、撮像装置５００は、斜め上方から投写面２１０を撮像する。従って、映像制御部２５４は、撮像装置５００から取得した撮像データに基づいて、投写面２１０を直上から見た撮像映像を生成することが好ましい。
【００８６】
上述した実施形態では、投写面２１０は、設置面２２０と略平行な面であるが、投写面２１０の位置は、これに限定されるものではない。投写面２１０は、設置面２２０に対して略垂直な面であってもよい。このようなケースでは、撮像装置５００は、投写面２１０を撮像する位置に設けられていればよい。また、ユーザＸは、投写面２１０の前面に位置する。
【００８７】
上述した実施形態では、投写面２１０上に表示される映像は、ゴルフスイングの練習に利用されるが、映像の利用方法は、これに限定されるものではない。例えば、投写面２１０上に表示される映像は、ダンスステップの練習などに利用されてもよい。このようなケースでは、見本映像は、基準ダンスステップなどを含む。
【００８８】
各実施形態によれば、上述したように、反射ミラー３２０を設けることによって、投写型映像表示装置と投写面との距離が短縮される。従って、投写型映像表示装置と投写面との間に人などが入り込んで、映像光が遮られることを抑制することができる。また、光源１０としてＬＤを用いた場合に、レーザ光（映像光）が人に照射される可能性を低減することができる。
【図面の簡単な説明】
【００８９】
【図１】第１実施形態に係る投写型映像表示装置１００を示す図である。
【図２】第１実施形態に係る映像光生成部２００の構成を示す図である。
【図３】第１実施形態に係る制御ユニット２５０を示すブロック図である。
【図４】第１実施形態に係るテーブルの一例を示す図である。
【図５】第１実施形態に係る表示例について示す図である。
【図６】第１実施形態に係る設置例について示す図である。
【図７】第２実施形態に係る投写型映像表示装置１００を示す図である。
【図８】第３実施形態に係る投写型映像表示装置１００を示す図である。
【図９】第３実施形態に係る撮像画像を示す図である。
【符号の説明】
【００９０】
１０・・・光源、２０・・・フライアイレンズユニット、３０・・・ＰＢＳアレイ、４０・・・表示素子、４１・・・入射側偏向板、４２・・・出射側偏向板、５０・・・クロスダイクロイックプリズム、１００・・・投写型映像表示装置、１１１・・・ダイクロイックミラー、１１２・・・ダイクロイックミラー、１２１〜１２３・・・反射ミラー、１３１・・・コンデンサレンズ、１４０・・・コンデンサレンズ、１５１〜１５２・・・リレーレンズ、２００・・・映像光生成部、２１０・・・投写面、２２０・・・設置面、２５０・・・制御ユニット、２５１・・・基本情報取得部、２５２・・・第１取得部、２５３・・・第2取得部、２５４・・・映像制御部、３００・・・投写光学系、３１０・・・投写レンズ、３２０・・・反射ミラー、４００・・・筐体、４００ａ・・・防護カバー、４１０・・・透過領域、５００・・・撮像装置、６００・・・移動ユニット、７１０・・・撮像装置、７２０・・・背景面、７２１・・・補助線
【図１】
2009273552.tif 000003
【図２】
2009273552.tif 000004
【図３】
2009273552.tif 000005
【図４】
2009273552.tif 000006
【図５】
2009273552.tif 000007
【図６】
2009273552.tif 000008
【図７】
2009273552.tif 000009
【図８】
2009273552.tif 000010
【図９】
2009273552.tif 000011